(57)【特許請求の範囲】
【請求項１】
本体ケース（１）内に電池（８）から電力の供給を受けて発光する発光ダイオード（１４）が設けられ、本体ケース（１）の発光ダイオード（１４）よりも先端側にピンホール（２３）を有する遮光体（１５）が設けられ、遮光体（１５）のピンホール（２３）がネズミや魚等のペット誘惑体の形に形成され、ピンホール（２３）の形を発光ダイオード（１４）の光で外部に映し出すように、本体ケース（１）の先端側にピンホール（２３）から放出される発光ダイオード（１４）の光を平行光線に近づける凸レンズ（２１）が設けられていることを特徴とするペット用玩具。
【請求項２】
前記発光ダイオード（１４）が赤色発光ダイオード又は緑色発光ダイオードで構成され、前記遮光体（１５）が遮光フィルムで構成されていることを特徴とする請求項１に記載のペット用玩具。
【請求項３】
本体ケース（１）の発光ダイオード（１４）よりも基端側に、発光ダイオード（１４）に電力を供給する電池（８）を収納するための電池ホルダ（６）が設けられ、電池ホルダ（６）に収納した電池（８）から発光ダイオード（１４）への電力の供給を断接する釦スイッチ（１９）が本体ケース（１）に外方突出状に設けられていることを特徴とする請求項１又は２に記載のペット用玩具。
【請求項４】
本体ケース（１）に、その外面側に突出して滑り止めになると共に、柔らかい感触を味わえる装飾体（１８）が設けられていることを特徴とする請求項１〜３のいずれかにに記載のペット用玩具。
【発明の詳細な説明】
【技術分野】
【０００１】
本発明は、光によって猫等のペットをじゃらすために使用されるペット用玩具に関するものである。
【背景技術】
【０００２】
従来より、猫、犬等のペットを遊ばせるためのペット用玩具として、ペットが興味を持ちそうな形状のペット誘惑体をペットの前で動かして、じゃれつかせるようにしたものがある（例えば、特許文献１、２）。
また、従来の懐中電灯として、投影手段によって文字、図柄等の模様を現出せしめるようにしたものがある（例えば、特許文献３）。
【先行技術文献】
【特許文献】
【０００３】
【特許文献１】実用新案登録第３１５５７２９号公報
【特許文献２】特開２００１−２９９１２４号公報
【特許文献３】実用新案登録第３１０７９９７号公報
【発明の概要】
【発明が解決しようとする課題】
【０００４】
しかし、前者の従来のペット用玩具は、ペット誘惑体の動きが鈍く、また、ペット誘惑体に猫等のペットがじゃれて直接触れるため壊れ易いという不具合があった。
後者の従来の場合は、光源の前方に配置した模様表示体がフィルム状の透光体に図柄等の投影模様を表示したものであり、電灯で照らされた明るい背景の中に模様が映像として出現するものであり、この映像によって猫等のペットをじゃれつかせることは困難であった。
【０００５】
本発明は上記問題点に鑑み、光により明るく照らし出されたペット誘惑体の映像で猫等のペットをじゃれつかせることができて、ペット誘惑体を速く動かすことができると共に壊れにくいペット用玩具を提供することを目的としている。
【課題を解決するための手段】
【０００６】
本発明における課題解決のための具体的手段は、次の通りである。
この技術的課題を解決する本発明の技術的手段は、本体ケース１内に電池８から電力の供給を受けて発光する発光ダイオード１４が設けられ、本体ケース１の発光ダイオード１４よりも先端側にピンホール２３を有する遮光体１５が設けられ、遮光体１５のピンホール２３がネズミや魚等のペット誘惑体の形に形成され、ピンホール２３の形を発光ダイオード１４の光で外部に映し出すように、本体ケース１の先端側にピンホール２３から放出される発光ダイオード１４の光を平行光線に近づける凸レンズ２１が設けられている点にある。
【０００７】
また、本発明の他の技術的手段は、前記発光ダイオード１４が赤色発光ダイオード又は緑色発光ダイオードで構成され、前記遮光体１５が遮光フィルムで構成されている点にある。
また、本発明の他の技術的手段は、本体ケース１の発光ダイオード１４よりも基端側に、発光ダイオード１４に電力を供給する電池８を収納するための電池ホルダ６が設けられ、電池ホルダ６に収納した電池８から発光ダイオード１４への電力の供給を断接する釦スイッチ１９が本体ケース１に外方突出状に設けられている点にある。
【０００８】
また、本発明の他の技術的手段は、本体ケース１に、その外面側に突出して滑り止めになると共に、柔らかい感触を味わえる装飾体１８が設けられている点にある。
【発明の効果】
【０００９】
本発明によれば、光により猫等のペットをじゃれつかせることができて、光の映像によるペット誘惑体を速く動かすことができるし、ペット用玩具に猫等のペットがじゃれて直接触れることがなくなり、ペット用玩具が壊れにくくなる。
【図面の簡単な説明】
【００１０】
【図１】本発明の一実施形態を示すケース体内の斜視図である。
【図２】同本体ケース内部の分解斜視図である。
【図３】同ペット用玩具の分解斜視図である。
【図４】同ペット用玩具の正面図である。
【図５】同ペット用玩具の平面図である。
【図６】同遮光体の拡大正面図である。
【発明を実施するための形態】
【００１１】
以下、本発明の実施の形態を図面に基づいて説明する。
図１〜図５において、ペット用玩具の本体ケース１は、半割円筒状のケース体２と半割円筒状のケース蓋３とを備える。半割円筒状のケース体２とケース蓋３とは、円筒状に組み合わされて、図示省略のビス等の締結具により互いに着脱自在に結合されるようになっている。
【００１２】
ケース体２（本体ケース１）の基端側の内面側に直方体形状の電池ホルダ６が設けられ、電池ホルダ６の下端開口を開閉自在に塞ぐ蓋体７がケース体２とは別体に構成され、蓋体７をスライドさせて電池ホルダ６の下端開口を開放できるように構成されている。電池ホルダ６に単４電池８を１個セットできるようになっている。
ケース体２（本体ケース１）の電池ホルダ６の先端側に左右一対の狭持体１０が突設されている。一対の狭持体１０に第１支持筒体１１と第２支持筒体１２とが着脱自在に保持されている。第１支持筒体１１は発光ダイオード（ＬＥＤ）１４の基端部を支持し、発光ダイオード１４は第１支持筒体１１から先端側に突出されている。第２支持筒体１２は発光ダイオード１４の周囲を取り囲むと共に先端側に遮光体１５が支持されている。第２支持筒体１２の遮光体１５より先端側に円筒状の筒状体１６が内嵌されている。
【００１３】
ケース蓋３の基端側に猫の手をイメージした装飾体１８が嵌合装着されている。この装飾体１８は例えばエラストマー等の弾性素材で構成されており、本体ケース１の外面側に突出して滑り止めになると共に、猫の手のひらの肉球のような感触を与えて、本体ケース１を握った際に柔らかい感触を味わえるようになっている。ケース蓋３（本体ケース１）に、電池ホルダ６に収納した電池８から発光ダイオード１４への電力の供給を断接する釦スイッチ１９が外方突出状に設けられている。ケース体２とケース蓋３との先端部間に、環状溝２０を介して凸レンズ２１が保持されている。
【００１４】
而して、本体ケース１内に電池８から電力の供給を受けて発光する発光ダイオード１４が設けられ、ケース蓋３の発光ダイオード１４よりも先端側に遮光体１５が設けられ、本体ケース１の先端側に凸レンズ２１が設けられ、本体ケース１の発光ダイオード１４よりも基端側に、発光ダイオード１４に電力を供給する電池８を収納するための電池ホルダ６が設けられている。
【００１５】
前記発光ダイオード１４は赤色発光ダイオードで構成されると共に先端側が丸くなっていてレンズを組み込んだ弾丸形状に形成されている。遮光体１５は遮光フィルムで構成され、ピンホール２３を有している。図６に示すように、遮光体１５のピンホール２３はネズミや魚や昆虫や鳥等の動く物であるペット誘惑体（図例ではネズミ）の形に形成されている。凸レンズ２１はピンホール２３から放出される発光ダイオード１４の光を平行光線に近づけて、ピンホール２３の形を発光ダイオード１４の光で外部に映し出すように機能する。
【００１６】
上記実施形態によれば、電池ホルダ６に単４電池８をセットして、釦スイッチ１９を押圧操作すると、釦スイッチ１９を押圧している間だけ発光ダイオード１４に電力が供給されて発光ダイオード１４が発光する。発光ダイオード１４の光はピンホール２３を通り、ピンホール２３を通った発光ダイオード１４の光は凸レンズ２１により平行光線に近づけられて外部に放出され、ピンホール２３の形を発光ダイオード１４の光で外部の壁や床等に映像２５として映し出す。この映像２５は、例えば２ｍ先の壁等には高さが約５ｃｍの像となり、５ｍ先の壁等には高さが約１５ｃｍの像となる。
【００１７】
即ち、ピンホール２３を有する遮光体１５を発光ダイオード１４の先端側に設けているので、発光ダイオード１４から放出されるまっすぐな光だけを使用し、凸レンズ２１を通して発光ダイオード１４の光を小さくまとめることで、小さな光の映像２５を作ることができ、この作用によって映像２５が映る距離がある程度長くなった場合でも、映像２５が大きくならず程よいものとなる。また、発光ダイオード１４として赤色発光ダイオードを使用しているので、明るい場所でも映る映像２５を人や猫等のペットに認識し易いものになり、猫等のペットが非常によく反応するようになる。
【００１８】
従って、光により明るく照らし出されたペット誘惑体の映像２５で猫等のペットをじゃれつかせることができて、光の映像２５によるペット誘惑体を速く動かすことができるし、ペット用玩具に猫等のペットがじゃれて直接触れることがなくなり、ペット用玩具が壊れにくくなる。また、発光ダイオード１４の使用で、ペット用玩具全体の大きさも小さくコンパクトなものになる。
【００１９】
また、光源として発光ダイオード１４ではなくて豆電球を使用した場合には、電池の消耗が激しく１時間程度の使用しかできないが、上記実施形態の場合、電池ホルダ６に単４電池８をセットすることができて、発光ダイオード１４は電球に比べて消費電力が少ないため、連続点灯状態で使用した場合でも約６時間程度使用することができる。しかも、発光ダイオード１４は電球のようなフィラメントを持たないため、衝撃に強く故障も少ないものになし得る。
【００２０】
なお、前記実施形態では、発光ダイオード１４は赤色発光ダイオードで構成されているが、これに代え、発光ダイオード１４を猫等のペットが認識し易い緑色発光ダイオードで構成するようにしてもよいし、青色発光ダイオード、白色発光ダイオードその他で構成するようにしてもよい。
また、遮光体１５のピンホール２３を、透明フィルムや透光性のある着色フィルム等で塞ぐようにしてもよい。また、遮光体１５のピンホール２３は実際に孔が開いていなくてもよく、その部分を透明フィルムや透光性のある着色フィルム等で構成していてもよい。また、遮光体１５は遮光フィルムに限らず、フィルム以外の遮光シートで構成するようにしてもよい。
【００２１】
また、前記実施形態では、凸レンズ２１から出た発光ダイオード１４の光が徐々に広がるようにしているが、これに代え、凸レンズ２１から出た発光ダイオード１４の光が平行光線になるようにしてもよいし、また、凸レンズ２１から出た発光ダイオード１４の光が徐々に狭まるようにしてもよい。
【符号の説明】
【００２２】
１    本体ケース
８    電池
１４  発光ダイオード
１５  遮光体
１４  釦スイッチ
２１  凸レンズ
２３  ピンホール
【図１】
0005323105.tif 000002
【図２】
0005323105.tif 000003
【図３】
0005323105.tif 000004
【図４】
0005323105.tif 000005
【図５】
0005323105.tif 000006
【図６】
0005323105.tif 000007